(57)【要約】ＴＩＡ／ＥＩＡ／ＩＳ−２０００標準ファミリに基づく網等の、無線通信網内のパケット制御機能（ＰＣＦ）は休止移動端末に対する着信データを管理する。休止移動端末に対する着信データを受信するＰＣＦに応答して、再活性化タイマが起動され、着信データのバッファリングが開始され、移動端末の再活性化が開始される。再活性化タイマが切れる前に網が移動端末との接続を再確立すれば、ＰＣＦはバッファされたデータを移動端末に転送し、そうでなければ、バッファされたデータをフラッシュしてタイマをリセットする。後続着信データによりこのプロセスが繰り返されるが、タイマの期限により繰返し間隔が制限される。この期限により再活性化が試行される頻度が制限され、網シグナリングオーバヘッドが制限される。さらに、ＰＣＦは期限中に規定されたバッファ限界を超えて受信されるデータを廃棄することにより、着信データのバッファリングに必要なメモリを制限する。
2005506802.tif 000002
【特許請求の範囲】
【請求項１】
無線通信網内のパケット制御機能（ＰＣＦ）システムにおいて休止移動端末に対する着信データを管理する方法であって、前記方法は、
ＰＣＦシステムにおいて休止移動端末に対する公衆データ網（ＰＤＮ）から着信データを受信し、
着信データの受信に応答してタイマを起動させ、
着信データに応答して休止移動端末とＰＣＦシステム間の接続確立を開始し、
受信した着信データをバッファリングし、
タイマが切れる前に接続が確立されたらバッファされた着信データをＰＣＦシステムから前の休止移動端末へ転送し、
タイマが切れる前に休止移動端末およびＰＣＦシステム間の接続が確立されなければバッファされた着信データを廃棄する、ステップを備えた方法。
【請求項２】
請求項１に記載の方法であって、着信データをバッファリングするステップは規定されたバッファ限界まで休止移動端末に対する着信データをバッファリングすることを含む方法。
【請求項３】
請求項２に記載の方法であって、さらに、タイマの起動後規定されたバッファ限界までに受信した休止移動端末に対する着信データのバッファリングを続けるステップを含む方法。
【請求項４】
請求項２に記載の方法であって、さらに、タイマが切れる前に受信した休止移動端末に対する着信データが規定されたバッファ限界までバッファリングされるように、タイマの起動後に受信した移動端末に対する着信データの少なくとも一部をバッファリングするステップを含む方法。
【請求項５】
請求項２に記載の方法であって、さらに、規定されたバッファ限界を構成可能なバッファ限界として実現するステップを含む方法。
【請求項６】
請求項２に記載の方法であって、さらに、着信データを後入れベース（last-in basis）で廃棄して規定されたバッファ限界を超えることを回避するステップを含む方法。
【請求項７】
請求項１に記載の方法であって、さらに、データを先入れベース（first-in basis）で廃棄して規定されたバッファ限界を超えることを回避するステップを含む方法。
【請求項８】
請求項１に記載の方法であって、さらに、複数の休止移動端末に対する着信データを管理するステップを含む方法。
【請求項９】
パケット制御機能（ＰＣＦ）システムが無線通信網内のパケットデータサービングノード（ＰＤＳＮ）からデータを受信する、休止移動端末に対する着信データの管理方法であって、前記方法は、
ＰＣＦシステムにおいてＰＤＳＮから休止移動端末に対する着信データを受信し、
データの受信に応答してタイマを起動させ、
データの受信に応答して休止移動端末との接続再確立を開始し、
規定されたバッファ限界まで着信データをバッファリングし、
規定されたバッファ限界に達した後で受信した任意の着信データを廃棄し、
タイマが切れる前に移動端末との接続が再確立されればバッファされたデータをＰＣＦシステムから前の休止移動端末へ転送し、
タイマが切れる前に移動端末との接続が再確立されなければバッファされたデータを廃棄してタイマをリセットする、ステップを備えた方法。
【請求項１０】
請求項９に記載の方法であって、さらに、移動端末の予期再活性化遅延に一致するようにタイマの切れる期限を構成するステップを含む方法。
【請求項１１】
請求項１０に記載の方法であって、さらに、前記接続再確立に関連する平均予期時間に基づいて前記予期再活性化遅延を決定するステップを含む方法。
【請求項１２】
請求項９に記載の方法であって、さらに、規定されたバッファ限界を最大予期データパケットサイズに適合する値に設定するステップを含む方法。
【請求項１３】
請求項９に記載の方法であって、さらに、ＴＣＰウィンドウサイズに従って規定されたバッファ限界を決定するステップを含む方法。
【請求項１４】
請求項９に記載の方法であって、さらに、移動端末が休止のままでありかつ移動端末に対する後続データが受信される場合、タイマが切れた後で請求項１のステップを繰り返すステップを含む方法。
【請求項１５】
請求項９に記載の方法であって、さらに、複数の休止移動端末に対する着信データをバッファリングするステップを含む方法。
【請求項１６】
請求項１５に記載の方法であって、さらに、前記複数の移動端末の個別の移動端末に対する接続再確立のタイミングをとるステップを含む方法。
【請求項１７】
請求項９に記載の方法であって、データの受信に応答して休止移動端末との接続再確立を開始するステップは、前記移動端末に関連する基地局コントローラ（ＢＳＣ）に対してサービス要求メッセージを発生することを含む方法。
【請求項１８】
請求項９に記載の方法であって、バッファされたデータをＰＣＦから前の休止移動端末へ転送するステップは、前記移動端末に関連する基地局コントローラ（ＢＳＣ）へバッファされたデータを転送することを含む方法。
【請求項１９】
無線通信網内の休止移動端末に対するデータ管理方法であって、前記方法は、
パケット制御機能（ＰＣＦ）システムにおいてパケットデータサービングノード（ＰＤＳＮ）から休止移動端末に対するデータを受信し、
データの受信に応答して前記ＰＣＦシステムにおいてタイマを起動させ、
休止移動端末に対して前記ＰＣＦシステムにおいて受信した着信データをバッファリングし、
前記ＰＣＦシステムから前記休止移動端末に関連する基地局コントローラ（ＢＳＣ）へサービス要求を送ることにより休止移動端末に関連するアクティブ接続の再確立を開始し、
前記ＰＣＦシステムからのサービス要求の受信に応答して、前記ＢＳＣから移動局コントローラ（ＭＳＣ）へサービス要求を送り、
前記ＢＳＣからのサービス要求の受信に応答して、前記ＭＳＣから前記ＢＳＣを介して休止移動端末をページングし、
前の休止移動端末が前記ページング要求に応答する場合には、前記ＢＳＣおよび前記移動端末間のトラフィックチャネルを設定し、
タイマが切れる前に前記トラフィックチャネルが確立される場合には、前記ＰＣＦシステムから前記移動端末へ前記ＢＳＣを介してバッファされたデータを転送し、
タイマが切れる前に前記トラフィックチャネルが確立されない場合には、前記ＰＣＦシステムにおいてバッファされたデータを廃棄し、
バッファされたデータが転送されるかまたはタイマが切れるとタイマをリセットする、ステップを備えた方法。
【請求項２０】
請求項１９に記載の方法であって、さらに、受信した着信データの量が規定されたバッファ限界を超える場合には、タイマが切れる前に休止移動端末に対して受信した着信データの少なくとも一部を廃棄するステップを含む方法。
【請求項２１】
請求項１９に記載の方法であって、さらに、前記規定されたバッファ限界を最大予期パケットデータサイズに一致する値に設定するステップを含む方法。
【請求項２２】
請求項１９に記載の方法であって、さらに、休止移動端末に対して後続データが受信されかつタイマがリセットされている場合には、移動端末を再びページングするステップを含む方法。
【請求項２３】
請求項１９に記載の方法であって、さらに、複数の休止移動端末に対して請求項１のステップを実行するステップを含み、前記ＰＣＦシステムは前記複数の休止移動端末の各々に対して受信されたデータをバッファリングする方法。
【請求項２４】
請求項１９に記載の方法であって、さらに、前記ＰＣＦシステム，ＢＳＣ，およびＭＳＣ間のシグナリングは無線通信網に対して規定されたシグナリング標準に基づいて行うステップを含む方法。
【請求項２５】
請求項２４に記載の方法であって、無線通信網はＴＩＡ／ＥＩＡ／ＩＳ−２０００標準に基づいており、さらに、ＩＯＳ  ｖ４．０シグナリング標準に基づく前記シグナリングを含む方法。
【請求項２６】
請求項１９に記載の方法であって、さらに、タイマの期限をおよそ３０秒に設定するステップを含む方法。
【請求項２７】
請求項１９に記載の方法であって、さらに、規定されたバッファ限界をおよそ６４キロビットに設定するステップを含む方法。
【請求項２８】
請求項１９に記載の方法であって、さらに、前記ＰＣＦシステムにおいてデータが受信された各休止移動端末に対してバッファおよびタイマを維持するステップを含む方法。
【請求項２９】
無線通信網において使用するパケット制御機能（ＰＣＦ）システムであって、前記ＰＣＦシステムは、
休止移動端末に対する着信データを受信するＰＣＦシステムに応答してタイマを起動させかつＰＣＦシステムおよびＰＣＦシステムに関連する休止移動端末間の接続再確立を開始する少なくとも一つのプロセッサと、
メモリと、を備え、ＰＣＦシステムは受信した着信データをメモリ内にバッファリングし、
ＰＣＦシステムはタイマが切れる前に接続を再確立できなければバッファされた着信データをメモリから廃棄し、タイマが切れる前に接続を再確立できればバッファされた着信データを移動端末へ転送するシステム。
【請求項３０】
請求項２９に記載のＰＣＦシステムであって、ＰＣＦシステムはメモリ内の着信データを規定されたバッファ限界までバッファリングするＰＣＦシステム。
【請求項３１】
請求項３０に記載のＰＣＦシステムであって、ＰＣＦシステムはタイマの起動後規定されたバッファ限界まで受信された着信データの少なくとも一部をバッファリングし続けるＰＣＦシステム。
【請求項３２】
請求項３０に記載のＰＣＦシステムであって、ＰＣＦシステムは規定されたバッファ限界を超えて受信された着信データを廃棄するＰＣＦシステム。
【請求項３３】
請求項３０に記載のＰＣＦシステムであって、ＰＣＦシステムは着信データを先入れベースで廃棄して規定されたバッファ限界を越すことを回避するＰＣＦシステム。
【請求項３４】
請求項３０に記載のＰＣＦシステムであって、ＰＣＦシステムは着信データを後入れベースで廃棄して規定されたバッファ限界を越すことを回避するＰＣＦシステム。
【請求項３５】
請求項３０に記載のＰＣＦシステムであって、ＰＣＦシステムは構成可能なバッファ限界を規定されたバッファ限界として使用するＰＣＦシステム。
【請求項３６】
請求項２９に記載のＰＣＦシステムであって、ＰＣＦシステムは複数の休止移動端末の各々に対してタイマおよび対応するバッファを維持するＰＣＦシステム。
【請求項３７】
請求項２９に記載のＰＣＦシステムであって、ＰＣＦシステムはバッファされた着信データが廃棄される場合、発信網エンティティが廃棄されたデータの少なくとも一部を再送信するように発信網エンティティと通信するＰＣＦシステム。
【請求項３８】
請求項２９に記載のＰＣＦシステムであって、着信データはパケットデータを含み、ＰＣＦシステムは着信パケットを規定されたバッファ限界までバッファリングし、パケットデータがＰＣＦシステムにおいて受信された順序でバッファされたパケットデータを前の休止移動端末へ転送するＰＣＦシステム。
【請求項３９】
無線通信網で使用するパケット制御機能（ＰＣＦ）システムであって、ＰＣＦシステムはメモリおよび少なくとも一つのプロセッサを含み、前記少なくとも一つのプロセッサは、
前記ＰＣＦシステムに関連する休止移動端末に対する着信データの受信に応答してタイマを起動させ、
前記メモリ内の着信データを規定されたバッファ限界までバッファリングし、
着信データに応答して休止移動端末との接続再確立を開始し、
タイマが切れる前に移動端末との接続が再確立されればバッファされたデータをＰＣＦから前の休止移動端末へ転送し、
タイマが切れる前に移動端末との接続が再確立されなければバッファされたデータを廃棄してタイマをリセットする、
ようにされているＰＣＦシステム。
【請求項４０】
請求項３９に記載のＰＣＦシステムであって、前記少なくとも一つのプロセッサは複数の休止移動端末に対する着信データをバッファリングするＰＣＦシステム。
【請求項４１】
請求項４０に記載のＰＣＦシステムであって、前記少なくとも一つのプロセッサは休止中に着信データを受信する前記複数の休止移動端末の各々に対して着信データをバッファリングする前記メモリ内のそれぞれのバッファを維持するＰＣＦシステム。
【請求項４２】
請求項４０に記載のＰＣＦシステムであって、前記少なくとも一つのプロセッサは着信データを受信する前記複数の休止移動端末の各々の接続再確立のタイミングをとるそれぞれのタイマを維持するＰＣＦシステム。
【請求項４３】
請求項３９に記載のＰＣＦシステムであって、タイマは移動端末との接続を再確立する最大予期時間に一致する期限を有するＰＣＦシステム。
【請求項４４】
請求項３９に記載のＰＣＦシステムであって、前記少なくとも一つのプロセッサはタイマが切れる前に受信されかつ前記規定されたバッファ限界を超える任意の着信データを廃棄することにより前記メモリ内の着信データを規定されたバッファ限界までバッファリングするＰＣＦシステム。
【請求項４５】
請求項３９に記載のＰＣＦシステムであって、前記少なくとも一つのプロセッサは休止移動端末に関連する基地局コントローラ（ＢＳＣ）にサービス要求メッセージを送ることにより着信データに応答して休止移動端末との接続再確立を開始するＰＣＦシステム。
【請求項４６】
請求項４５に記載のＰＣＦシステムであって、無線通信網はＴＩＡ／ＥＩＡ／ＩＳ−２０００に基づいており、プロセッサはＡ９基地局サービス要求を発生することにより前記サービス要求をＢＳＣに送るＰＣＦシステム。
【請求項４７】
請求項４５に記載のＰＣＦシステムであって、前記プロセッサは前記ＰＣＦおよびパケットデータサービングノード（ＰＤＳＮ）間のＡ１０接続確立を介して着信データを受信するＰＣＦシステム。
【請求項４８】
請求項３９に記載のＰＣＦシステムであって、前記プロセッサは前の休止移動端末に関連する基地局コントローラにバッファされたデータを転送することにより、バッファされたデータをＰＣＦシステムから前の休止移動端末に転送するＰＣＦシステム。
【請求項４９】
請求項３９に記載のＰＣＦシステムであって、前記プロセッサは前の休止移動端末との接続が再確立された表示として、前記ＰＣＦシステムに関連する基地局コントローラから設定要求メッセージを受信するＰＣＦシステム。
【発明の詳細な説明】
【技術分野】
【０００１】
（発明の背景）
本発明は一般的に無線通信網に関し、特に、移動端末に対して休止すなわち不活性パケットデータ・セションを維持する網に関する。
【背景技術】
【０００２】
無線通信網を介してユーザによりアクセスされるデータのタイプの変化により呼管理の性質が変化されてきている。それほど遠くない過去において、無線通信網のユーザはこのような網を主として音声呼サービスのために使用した。それについて、制限された無線周波数スペクトルによりサポートされるユーザ数を最大化するという特殊な規定はあるが、無線呼管理は有線電話サービスの回線指向機構で使用されるものと同じであった。
【０００３】
音声呼のサポートにおいて、網は呼をサポートするために典型的に物理的および論理的リソースを割り当てる。物理的リソースは無線基地局におけるＲＦトランシーバおよび基地局コントローラ内のデジタル信号プロセッサを含むことができ、論理的リソースはさまざまな網エンティティ間で呼データおよび制御情報を運ぶ網トランスポートチャネルを含むことができる。たとえこれらのリソースのいくつかが、たとえば、他のユーザと時間多重化により共用されても、多くの呼処理リソースは従来音声呼の持続時間中ユーザ専用のままとされる。
【０００４】
音声会話中のようにユーザのこのようなリソースの使用が本質的に連続的であれば、このリソース管理方法は道理にかなっている。しかしながら、ユーザがこのようなリソースを間歇的にしか使用せず、アクティブ期間の間の遊休期間が潜在的に長ければ、この方法には著しい非効率性が伴う。このタイプの間歇的使用は無線通信網により提供されるより新しいサービスを特徴づけている。
【０００５】
ウェブ・ブラウジング（Web browsing）および電子メール送受信や株式相場の受け取り等のインターネット・ベース・アクティビティ（Internet-based activities）はその性質から間歇的アクティビティである。パケットデータセションをサポートする通信網は異なる呼リソース管理技術を使用してパケットデータ通信の間欠性を利用する。ＴＩＡ／ＥＩＡ／ＩＳ−２０００（ＩＳ−２０００）標準ファミリに基づく網はユーザにパケットデータサービスを提供する現代の無線網の例である。
【０００６】
ＩＳ−２０００およびその他のタイプの網は移動端末とのパケットデータ・セションの休止期間中に選択された網リソースの割当を解除して効率を得る。一般的に、ＰＰＰ（point-to-point protocol）接続は休止期間にわたって維持されるが、トラフィックチャネルおよび関連するリソースは他の移動端末のサポートに使用するために開放される。したがって、インターネット等の外部網からデータを受信する場合、網はデータをバッファし次にそれを休止移動端末に再活性化後に送らなければならない。
【発明の開示】
【発明が解決しようとする課題】
【０００７】
有効な制御手段なしで休止移動端末に対する着信データをバッファすると、所要格納スペースおよび関与する移動端末を再活性化させる試みに関連するシグナリングオーバヘッドに関して網が圧倒される。したがって、着信データをバッファリングし、しかも所要バッファメモリ量を制限するようにバッファリングを管理し、さらに再活性化シグナリングオーバヘッドを低減する要求条件を満たす方法が必要である。
【課題を解決するための手段】
【０００８】
（発明の概要）
本発明は休止移動端末に関連するパケットデータを、ＩＳ−２０００等の、無線通信網内のパケット制御機能（ＰＣＦ）においてバッファリングするシステムおよび方法を含んでいる。ＰＣＦは再活性化タイマを使用してデータをバッファリングするのに使用されるメモリの量を制限し、休止移動端末の試行された再活性化に関連する網シグナリングオーバヘッドを低減する。再活性化サイクルはＰＣＦが休止移動端末に対する着信データを受信する時に開始する。ＰＣＦは再活性化タイマを起動させ、着信データのバッファリングを開始し、休止移動端末との接続再確立を開始する。タイマが切れる前に接続が再確立されれば、ＰＣＦはバッファされたデータを端末に転送し、そうでなければ、データは廃棄される。また、サイクル中に規定されたバッファ限界を超えて受信された任意のデータも廃棄される。
【０００９】
好ましくは、データはバッファ限界までしかバッファリングされず、かつバッファされたデータは再活性化タイマが切れると廃棄されるため、ＰＣＦにおいてデータバッファリングに必要な物理的メモリ量は妥当な量に制限される。もちろん、ＰＣＦにおいて必要な総バッファメモリはデータバッファリングを行いたい休止移動端末の最大数によって決まる。必要なバッファメモリ量に規定された限界を設ける他に、再活性化タイマを使用することにより網シグナリングオーバヘッドが低減される。
【００１０】
一般的に、再活性化タイマの期限は休止移動端末の最大予期再活性化時間に一致するように設定される。この設定によりＰＣＦは再活性化要求を出し、次に最大予期時間まで待機した後でこのような再活性化が成功したかどうかを判断する。待機期間が短ければ、網および移動端末に第１の再活性化要求に応答する機会が来ないうちに、一つ以上の再活性化要求がさらに早まって出されることがある。待機期間が長ければ、再活性化要求が不成功であってもＰＣＦは休止移動端末に対してバッファされたデータを保持する。
【実施例１】
【００１１】
（図面の詳細な説明）
図１に模範的な無線通信網を一般的に番号１０で示し、基地局コントローラ（ＢＳＣ）１２、一つ以上の無線基地局（ＲＢＳ）１４、移動交換局（ＭＳＣ）１６、パケット制御機能（ＰＣＦ）システム１８、無線パケット（ＲＰ）網２０、およびパケットデータサービングノード（ＰＤＳＮ）２２を含んでいる。実際上、網１０は前記した任意のエンティティの一つ以上を含むことができ、この単純化された例には図示されていない追加エンティティを含むことができる。
【００１２】
ＢＳＣ１２はＲＢＳ１４を制御し、それはエアインターフェイスを介したＲＦシグナリングにより一つ以上の移動端末２４と通信する。移動端末ユーザはＭＳＣ１６を介して公衆交換電話網（ＰＳＴＮ）２６のユーザと通信することができ、ＰＤＳＮ２２を介してインターネット等の一つ以上の公衆データ網（ＰＤＮ）２８と通信することができる。ユーザがＰＳＴＮ２６と通信する場合、ＢＳＣ１２は呼の設定においてＭＳＣ１６と協同し、それはＲＢＳ１４、ＢＳＣ１２、およびＭＳＣ１６内の必要な呼処理リソースの割当てを伴う。同様に、ユーザがＰＤＮ２８とのパケットデータ・セションを確立する場合には、一つ以上のＲＢＳ１４からＰＤＳＮ２２にわたる網リソースがセションをサポートするために割り当てられる。
【００１３】
しかしながら、典型的なパケットデータ・セションの間歇的アクティビティにより、網１０は所与の移動端末２４のパケットデータ・セションが休止状態となる時に、その端末に関連する少なくともいくつかの網リソースの割当てを解除することにより効率を得る。“休止”が何を意味するかをより理解する、まず所与のパケットデータ・セションに関連する典型的な状態を理解しなければならず、さらに、そのパケットデータ・セションのサポートに関わる網エンティティの基本的機能を理解しなければならない。
【００１４】
図２は所与の移動端末のパケットデータ・セションの典型的な状態を示す。移動端末２４が網１０に接続されていてパケットデータをアクティブに受信および送信またはそのいずれかをしている時は、アクティブ／接続状態（Ｓ０）と考えられる。アクティブ状態において、網１０は少なくともＲＢＳ１４、ＢＳＣ１２、ＰＣＦ１８、およびＰＤＳＮ２２内の接続リソースを維持する。特に、アクティブ状態において、移動端末２４とサポートしているＲＢＳ１４との間には物理的トラフィックチャネルが存在し、いずれかの側がデータを送信または受信することができる。休止状態では（Ｓ１）、移動端末２４とＲＢＳ１４との間に物理的トラフィックチャネルは存在しないが、移動端末２４とＰＤＳＮ２２間のＰＰＰリンクは維持される。ゼロ／イナクティブ状態では（Ｓ２）、移動端末２４とＲＢＳ１４との間にトラフィックチャネルはなく、移動端末２４とＰＤＳＮ２２との間にＰＰＰリンクは存在しない。
【００１５】
動作において、移動端末２４はアクティブ状態と休止状態との間を前後に遷移することができるが、一度ゼロ／イナクティブ状態に遷移すると、端末２４はアクティブ状態を遷移せずに再び休止状態をとることはできない。判りやすく言えば、これは一度端末２４が長すぎる休止状態になると、その端末に対するＰＰＰリンクはドロップされ端末はパケットデータ通信を再開する前に網１０との新しい接続を確立しなければならないことを意味する。一般的に、網１０はそのＰＰＰリンクがドロップされる前にどれだけ長く移動端末２４が休止状態にとどまることができるかを決定するためにあるタイプのタイマを維持している。
【００１６】
インターオペラビリティ標準に従った標準化された網エンティティインターフェイスを利用するＩＳ−２０００網では、ＢＳＣ１２およびＭＳＣ１６間のＡ１接続とＢＳＣ１２およびＲＢＳ１４間のＡ８接続はアクティブ／接続状態において維持され、休止およびゼロ状態において開放される。ＰＣＦ１８およびＰＤＳＮ２２間のＡ１０接続リソースは休止状態に維持される。ＲＰ網２０を介してＰＣＦ１８およびＰＤＳＮ２２間でこの接続を維持することにより、網１０はＰＤＳＮ内のＰＰＰリンクを維持することができる。移動端末２４がゼロ状態に遷移すると、ＰＰＰリンクは中止されＡ１０接続は開放される。ＰＰＰに関するプロトコル詳細についてはＩＥＴＦ（Internet Engineering Task Force）ＲＦＣ（Request for Comments）１６６１を参照することができる。
【００１７】
動作において、ＰＤＳＮ２２は網１０およびインターネットまたは他のＰＤＮ２８間のゲートウェイルータとして働く。ＰＤＳＮ２２は移動端末２４とのＰＰＰセションを確立、維持、および終了する。ＰＣＦ１８およびＰＤＳＮ２２は標準化されたＡ１０／Ａ１１インターオペラビリティ・インターフェイスを介して通信するためのＲＰ網２０を介したＲＰセションを確立する。網１０によりサポートされる移動端末２４に向けられたパケットデータはＰＤＳＮ２２にルーティングされ、次に、それは一つ以上のデータパケットの形のデータをＰＣＦ１８に通す。移動端末２４が網１０により確立されたアクティブセションを有する場合、ＰＣＦ１８はＰＤＳＮ２２から受信するパケットデータを単純にＢＳＣ１２に転送し、次に、それは受信したデータを移動端末２４へ無線送信するために適切なＲＢＳ１４に向ける。
【００１８】
前記した動作状況において、ＰＣＦ１８はＲＰ網インターフェイス２０を介したＰＤＳＮ２２へのデータリンクプロトコルの確立、維持、および終了を行う。ＰＣＦ１８は、さらに、ＰＤＳＮ２２および移動端末２４間のパケットの交換をサポートするための無線リソースを網１０から要求する。また、ＰＣＦ１８はそれがサポートするパケットデータ・セションに対する無線リソースの知識（たとえば、アクティブ、休止）も維持する。
【００１９】
しかしながら、しばしば、ＰＤＳＮ２２からの着信データは休止移動端末２４に対応する。この状況では、ＰＣＦ１８は着信データを単純にＢＳＣ１２に転送することはできず、後で移動端末２４に送るためにデータをバッファリングしなければならない。この必要性は休止セションに対して無線リソースがＲＢＳ１４およびＢＳＣ１２内に維持されないために生じる。ＩＳ−２０００標準ファミリはＰＣＦ１８がこの一般的状況においてバッファリングを実施すべきことを指定しているが、標準は特定のいかなるデータバッファリング方法も規定しておらず、そのため網１０はバッファリング操作の管理において困難を伴うように放置される。
【００２０】
本発明により提供されるバッファリング制御がなければ、ＰＣＦ１８内のデータバッファリング操作は妥当なメモリ容量を迅速に使い尽くし、再活性化要求の発生が頻繁になり過ぎてしまうことがある。これらの可能性を回避するために、ＰＣＦ１８は休止移動端末２４に対するデータを受信したらタイマを起動させる。タイマの期限は再活性化サイクルを規定し、ＰＣＦ発生再活性化要求のレートは再活性化タイマのサイクルタイムに制限される。これにより、網１０内のシグナリングオーバヘッドが低減される。
【００２１】
さらに、休止移動端末２４がタイマの期限内に再活性化されなければ、ＰＣＦ１８はバッファされたデータを廃棄し、タイマをリセットし、後の着信データに関連する後続再活性化試行に対してそれ自体を準備完了させる。さらに、再活性化サイクル中に、規定されたまたは所望のバッファ限界を超える着信データは廃棄されて過剰に大きいデータバッファの必要性を回避する。移動端末２４に向けられたデータが廃棄される場合には、ＴＣＰ／ＩＰ等の他のサポーティングプロトコルを設けて廃棄されたデータの再送信を行うことができる。バッファ限界は構成可能なパラメータとして規定することができ、ＰＣＦ１８は複数の移動端末２４に対してデータをバッファリングする時は異なるバッファ限界サイズを使用することができる。
【００２２】
ＰＣＦ１８は一つ以上のプロセッサすなわち処理システム３０を含み、それは前記した操作を実施することができる。このような操作において、プロセッサ３０はデータバッファリング操作においてメモリ３２を使用することができる。事実、本発明の一つの側面はデータバッファリングに必要なメモリ量を制限して過剰なメモリ要求条件を回避することを含んでいる。
【００２３】
図３はＰＣＦ１８が休止移動端末２４に対して模範的なデータバッファリングを実施する本発明の一実施例に対する模範的論理を示す。この論理フローは全体ＰＣＦ機能性の一つの側面を表し、ＰＣＦ１８により実行される多くのプログラミング・スレッド（programming threads）すなわち機能の一つを表すことを理解しなければならない。さらに、論理フローは所与の１台の移動端末２４に対する操作に関連するが、例示されているサービスは複数の端末２４に対しても提供できることを理解しなければならない。
【００２４】
処理は着信データをモニタする（ステップ１０２）ＰＣＦ１８により開始される（ステップ１００）。ＰＣＦ１８は休止移動端末２４に向けられたパケットデータをＰＤＳＮ２２から受信すると、再活性化タイマを起動させ（ステップ１０４）着信データのバッファリングを開始する（ステップ１０６）。ＰＣＦ１８は、また、着信データに関連する休止移動端末２４の再活性化も開始する（ステップ１０８）。すなわち、ＰＣＦ１０８は移動端末２４と網１０間のアクティブ接続の再確立を試行する。
【００２５】
着信データは一般的にあるタイプの識別子を運び、それによりＰＣＦ１８はデータを向けるべき移動端末２４を決定することができる。ＰＣＦ１８はこの情報を使用して正しい移動端末２４の再活性化を要求することができる。特に、着信データは移動端末２４に関連するデータを識別するためにＡ１０接続設定中にＰＣＦ／ＰＤＳＮにより割り当てられるＧＲＥ（Generic Routing Encapsulation）キーを含んでいる。ＧＲＥキー割当ては一時的でありＡ１０接続の持続時間だけ続く。ＩＳ−２０００網において、各移動端末２４は国際移動局識別子（ＩＭＳＩ）と呼ばれるより恒久的な識別子も有する。ＰＣＦは移動端末２４に割り当てられたＧＲＥキーと端末のＩＭＳＩ間のマッピングも維持する。ＰＣＦは移動端末の再活性化を要求する（ＢＳＣから）時にその端末を識別するのにＩＭＳＩを使用する。
【００２６】
接続再確立の開始後、ＰＣＦ１８は付加着信データのモニタリングを開始する（ステップ１１０）。さらにデータが受信されれば、ＰＣＦ１８は最大データ量が受信されているかどうかを確認する（ステップ１１２）。受信されていなければ、ＰＣＦ１８は付加着信データをメモリ３２内のバッファに加える（ステップ１１４）。最大バッファ限界に達しておれば、ＰＣＦ１８はいかなる付加着信データも廃棄する（ステップ１１６）。
【００２７】
ＰＣＦ１８は着信データを廃棄するための任意数の技術を使用することができる。たとえば、後で到着するデータが、構成可能な限界として実現することができる、規定されたバッファ限界を超える場合には後で到着するデータのいくつかまたは全てが廃棄されるように、ＰＣＦ１８はデータを後入れベースで廃棄することができる。この方法の代りに、ＰＣＦ１８は先入れベースでデータを廃棄することができる。その方法では、後で到着する付加データを加えることにより規定されたバッファ限界を超える場合、ＰＣＦ１８は既にバッファ内にある前に到着したデータのいくつかまたは全てを廃棄して規定されたバッファ限界を超えることを回避する。
【００２８】
次に、ＰＣＦ１８はＢＳＣ１２から再活性化インジケータが受信されているかどうかをチェックする（ステップ１１８）。受信されておれば、移動端末２４は再活性化タイマが切れる前に再活性化されており、ＰＣＦ１８はバッファされたデータを移動端末２４へ送るためにＢＳＣ１２に転送する（ステップ１２０）。ＰＣＦ１８が移動端末２４に対する着信データのいくつかをバッファ限界内にとどまるために廃棄している場合には、ＰＣＦがデータを先入れベースで廃棄するか後入れベースで廃棄するかに応じて、後で到着するまたは先に到着するバッファされたデータがＢＳＣ１２に転送される。
【００２９】
再活性化インジケータが受信されていなければ、ＰＣＦ１８は再活性化タイマが切れているかどうかを確認する（ステップ１２２）。タイマが切れておれば、移動端末２４の再活性化は予期された時間間隔内に遂行されておらず、それに応答してＰＣＦ１８はバッファをクリアし（ステップ１２４）タイマをリセットする（ステップ１２６）。これらのアクションにより、現在の再活性化サイクルに対する処理は終り（ステップ１２８）ＰＣＦ１８は引き続き受信したデータに対して再開する準備が完了する（すなわち、ステップ１００に戻る）。タイマが切れていなければ、ＰＣＦ１８は着信データのモニタリングに戻り（ステップ１１０）、前記したように処理が繰り返される。
【００３０】
図４は前記した論理フローを実現する模範的な呼フロー図を示す。呼処理ステップはこれらのアイテムを含む。
ａ．ＰＣＦ１８はＰＤＳＮ２２からの着信データの受信を開始する。
ｂ．着信データは休止移動端末２４に対応することを確認した後で、ＰＣＦ１８はデータのバッファリングを開始し、その再活性化タイマＴＤＡＴＡを起動させ、かつサービス要求メッセージを発生し、それはＰＣＦ１８およびＢＳＣ１２間のＡ９シグナリングインターフェイスを介してＢＳＣ１２に送信される。前記したように、ＰＣＦ１８は受信データ内のＩＭＳＩ情報（パケットヘッダ）を使用してデータがどの移動端末２４に向けられるかを確認することができる。
ｃ．ＢＳＣ１２はＰＣＦ１８からのサービス要求に応答してサービス要求メッセージを発生し、このメッセージはＢＳＣ１２およびＭＳＣ１６間のＡ１シグナリングインターフェイスを介してＭＳＣ１６に送られる。
ｄ．呼処理リソースが利用可能であれば、ＭＳＣ１６はサービス要求応答をＢＳＣ１２へ返送することによりＢＳＣ１２からのサービス要求に応答する。
ｅ．ＭＳＣ１６からサービス応答を受信すると、ＢＳＣ１２はＰＣＦ１８にサービス応答メッセージを与え、それは網が移動端末２４の再活性化を試行していることをＰＣＦ１８に知らせる。予期された時間フレーム内にＢＳＣ１２からサービス応答メッセージが受信されない場合、ＰＣＦ１８は処理を終え、ここではそのデータバッファをフラッシュさせ、その再活性化タイマＴＤＡＴＡをリセットすることができる。しかしながら、ＰＣＦ１８はそのバッファをフラッシュさせかつタイマをリセットする前に再活性化タイマが切れるまで単に待機することができる。
ｆ．ＭＳＣ１６は休止移動端末２４に対するページングメッセージを発生し、それはＢＳＣ１２（および対応するＲＢＳ１４）を介して送信される。
ｇ．再活性化が成功すれば、移動端末２４は網のページングメッセージにページング応答を送信する。一般的に、網のページングメッセージ送信と移動端末のページング応答との間である量の時間Δｔが経過する。ＢＳＣ１２はページング応答メッセージをＭＳＣ１６に通す。
ｈ．次に、ＢＳＣ１２と移動端末２４との間にトラフィックチャネルが確立され、その確立にはＢＳＣ１２の制御下で動作する一つ以上のＲＢＳ１４内に無線リソースを割り当てる必要がある。
ｉ．それ自体と移動端末２４との間にトラフィックチャネルを確立した後で、ＢＳＣ１２はＡ９設定メッセージをＰＣＦに送る。
ｊ．ＴＤＡＴＡにより設定された期間内に移動端末２４の再活性化が成功すると、ＰＣＦ１８はバッファされたデータをＢＳＣ１２を介して転送する。
【００３１】
前記した詳細では再活性化タイマＴＤＡＴＡの期限は予期された恐らくは最大再活性化タイマに一致させることができた。再活性化に対する累積時間は前記した呼フローにおいて容易に思い浮かべることができる。すなわち、移動端末２４が網１０からのページングメッセージに応答するΔｔ時間を含む、必要な網シグナリングに対する予期時間に基づいて期限を設定することができる。模範的な推定値を使用しかつＩＳ−２０００網を仮定して、再活性化タイマＴＤＡＴＡは３０秒程度に設定しなければならない。この設定によりほぼ１６秒でページングメッセージを発生して対応する応答を移動端末２４から受信し、さらに１０秒程度でトラフィックチャネルを確立してＰＣＦ１８に知らせることができる。もちろん、ＴＤＡＴＡがより大きいまたは小さい期限で構成される状況もある。このようにして、ＴＤＡＴＡは所望により網オペレータにより設定される構成可能なパラメータとすることができる。
【００３２】
要約すれば、データバッファリングメモリ要求条件が適切に制限されるように、休止移動端末２４に対するデータバッファリング方式をＰＣＦ１８内に実現するための模範的な詳細が前記した検討により提供される。さらに、前記した技術は休止移動端末２４との接続を再確立する試行に関連する網シグナリングを最小限に抑えるように働く。規定されたバッファサイズ限界の設定により所望数の端末２４に対してデータをバッファリングするのに必要な最大メモリ量が制限され、再活性化タイマの使用によりこれらの端末に対する着信データが再活性化試行を開始する最大速度または周期が設定される。したがって、前記した詳細は本発明を限定するものではなく、本発明は特許請求の範囲およびそれに適切に相当するものによってのみ限定される。
【図面の簡単な説明】
【００３３】
【図１】模範的な無線通信網を示す図である。
【図２】模範的なパケットデータ・セション状態を示す状態図である。
【図３】本発明に従った模範的なデータバッファリングを示す論理フロー図である。
【図４】本発明に従った模範的な網シグナリングを示す呼フロー図である。
【図１】
2005506802.tif 000003
【図２】
2005506802.tif 000004
【図３】
2005506802.tif 000005
【図４】
2005506802.tif 000006
【国際公開パンフレット】
2005506802.tif 000007
2005506802.tif 000008
2005506802.tif 000009
2005506802.tif 000010
2005506802.tif 000011
2005506802.tif 000012
2005506802.tif 000013
2005506802.tif 000014
2005506802.tif 000015
2005506802.tif 000016
2005506802.tif 000017
2005506802.tif 000018
2005506802.tif 000019
2005506802.tif 000020
2005506802.tif 000021
2005506802.tif 000022
2005506802.tif 000023
2005506802.tif 000024
2005506802.tif 000025
2005506802.tif 000026
2005506802.tif 000027
2005506802.tif 000028
2005506802.tif 000029
2005506802.tif 000030
2005506802.tif 000031
2005506802.tif 000032
2005506802.tif 000033
2005506802.tif 000034
【手続補正書】
【提出日】平成15年7月1日(2003.7.1)
【手続補正１】
【補正対象書類名】特許請求の範囲
【補正対象項目名】全文
【補正方法】変更
【補正の内容】
【特許請求の範囲】
【請求項１】
無線通信網内のパケット制御機能（ＰＣＦ）システムにおいて休止移動端末に対する着信データを管理する方法であって、前記方法は、
ＰＣＦシステムにおいて休止移動端末に対する公衆データ網（ＰＤＮ）から着信データを受信し、
着信データの受信に応答してタイマを起動させ、
着信データに応答して休止移動端末とＰＣＦシステム間の接続確立を開始し、
受信した着信データをバッファリングし、
タイマが切れる前に接続が確立されたらバッファされた着信データをＰＣＦシステムから前の休止移動端末へ転送し、
タイマが切れる前に休止移動端末およびＰＣＦシステム間の接続が確立されなければバッファされた着信データを廃棄する、ステップを備えた方法。
【請求項２】
請求項１に記載の方法であって、着信データをバッファリングするステップは規定されたバッファ限界まで休止移動端末に対する着信データをバッファリングすることを含む方法。
【請求項３】
請求項２に記載の方法であって、さらに、タイマの起動後規定されたバッファ限界までに受信した休止移動端末に対する着信データのバッファリングを続けるステップを含む方法。
【請求項４】
請求項２に記載の方法であって、さらに、タイマが切れる前に受信した休止移動端末に対する着信データが規定されたバッファ限界までバッファリングされるように、タイマの起動後に受信した移動端末に対する着信データの少なくとも一部をバッファリングするステップを含む方法。
【請求項５】
請求項２に記載の方法であって、さらに、規定されたバッファ限界を構成可能なバッファ限界として実現するステップを含む方法。
【請求項６】
請求項２に記載の方法であって、さらに、着信データを後入れベース（last-in basis）で廃棄して規定されたバッファ限界を超えることを回避するステップを含む方法。
【請求項７】
請求項２に記載の方法であって、さらに、データを先入れベース（first-in basis）で廃棄して規定されたバッファ限界を超えることを回避するステップを含む方法。
【請求項８】
請求項１に記載の方法であって、さらに、複数の休止移動端末に対する着信データを管理するステップを含む方法。
【請求項９】
請求項１に記載の方法であって、ＰＣＦシステムにおいて休止移動端末に対する公衆データ網（ＰＤＮ）からの着信データを受信するステップは、ＰＣＦシステムにおいて休止移動端末に対するパケットデータサービングノード（ＰＤＳＮ）からのデータを受信するステップを含む方法。
【請求項１０】
請求項１に記載の方法であって、さらに、移動端末の予期再活性化遅延に一致するようにタイマの切れる期限を構成するステップを含む方法。
【請求項１１】
請求項１０に記載の方法であって、さらに、前記接続再確立に関連する平均予期時間に基づいて前記予期再活性化遅延を決定するステップを含む方法。
【請求項１２】
請求項２に記載の方法であって、さらに、規定されたバッファ限界を最大予期データパケットサイズに適合する値に設定するステップを含む方法。
【請求項１３】
請求項２に記載の方法であって、さらに、ＴＣＰウィンドウサイズに従って規定されたバッファ限界を決定するステップを含む方法。
【請求項１４】
請求項１に記載の方法であって、さらに、移動端末が休止のままでありかつ移動端末に対する後続データが受信される場合、タイマが切れた後で請求項１のステップを繰り返すステップを含む方法。
【請求項１５】
請求項８に記載の方法であって、さらに、前記複数の移動端末の個別の移動端末に対する接続確立のタイミングをとるステップを含む方法。
【請求項１６】
請求項１に記載の方法であって、着信データに応答して休止移動端末およびＰＣＦシステム間の接続確立を開始するステップは、前記移動端末に関連する基地局コントローラ（ＢＳＣ）に対してサービス要求メッセージを発生することを含む方法。
【請求項１７】
請求項１に記載の方法であって、バッファされたデータをＰＣＦシステムから前の休止移動端末へ転送するステップは、前記移動端末に関連する基地局コントローラ（ＢＳＣ）へバッファされた着信データを転送することを含む方法。
【請求項１８】
請求項１に記載の方法であって、休止移動端末およびＰＣＦシステム間の接続確立を開始するステップは、前記ＰＣＦシステムから前記休止移動端末に関連する基地局コントローラ（ＢＳＣ）へサービス要求を送ることにより休止移動端末とのアクティブ接続の再確立を開始することを含む方法。
【請求項１９】
請求項２に記載の方法であって、さらに、受信した着信データの量が規定されたバッファ限界を超える場合には、タイマが切れる前に休止移動端末に対して受信された着信データの少なくとも一部を廃棄するステップを含む方法。
【請求項２０】
請求項１に記載の方法であって、さらに、休止移動端末に対して後続データが受信されかつタイマがリセットされている場合には、移動端末を再びページングするステップを含む方法。
【請求項２１】
請求項１に記載の方法であって、さらに、複数の休止移動端末に対して請求項１のステップを実行するステップを含み、前記ＰＣＦシステムは前記複数の休止移動端末の各々に対して受信されたデータをバッファリングする方法。
【請求項２２】
請求項４８に記載の方法であって、さらに、前記ＰＣＦシステム，ＢＳＣ，およびＭＳＣ間のシグナリングは無線通信網に対して規定されたシグナリング標準に基づいて行うステップを含む方法。
【請求項２３】
請求項２２記載の方法であって、無線通信網はＴＩＡ／ＥＩＡ／ＩＳ−２０００標準に基づいており、さらに、ＩＯＳ  ｖ４．０シグナリング標準に基づく前記シグナリングを含む方法。
【請求項２４】
請求項１に記載の方法であって、さらに、タイマの期限をおよそ３０秒に設定するステップを含む方法。
【請求項２５】
請求項２に記載の方法であって、さらに、規定されたバッファ限界をおよそ６４キロビットに設定するステップを含む方法。
【請求項２６】
請求項１８に記載の方法であって、さらに、前記ＰＣＦシステムにおいてデータが受信された各休止移動端末に対してバッファおよびタイマを維持するステップを含む方法。
【請求項２７】
無線通信網において使用するパケット制御機能（ＰＣＦ）システムであって、前記ＰＣＦシステムは、
休止移動端末に対する着信データを受信するＰＣＦシステムに応答してタイマを起動させかつＰＣＦシステムおよびＰＣＦシステムに関連する休止移動端末間の接続再確立を開始するようにされた少なくとも一つのプロセッサと、
メモリと、を含み、少なくとも一つのプロセッサは受信した着信データをメモリ内にバッファリングするようにされており、
少なくとも一つのプロセッサはタイマが切れる前に接続を再確立できなければバッファされた着信データをメモリから廃棄し、タイマが切れる前に接続を再確立できればバッファされた着信データを移動端末へ転送するようにされているシステム。
【請求項２８】
請求項２７に記載のＰＣＦシステムであって、少なくとも一つのプロセッサはメモリ内の着信データを規定されたバッファ限界までバッファリングするようにされているＰＣＦシステム。
【請求項２９】
請求項２８に記載のＰＣＦシステムであって、少なくとも一つのプロセッサはタイマの起動後規定されたバッファ限界まで受信された着信データの少なくとも一部をバッファリングし続けるようにされているＰＣＦシステム。
【請求項３０】
請求項２８に記載のＰＣＦシステムであって、少なくとも一つのプロセッサは規定されたバッファ限界を超えて受信された着信データを廃棄するようにされているＰＣＦシステム。
【請求項３１】
請求項２８に記載のＰＣＦシステムであって、少なくとも一つのプロセッサは着信データを先入れベースで廃棄して規定されたバッファ限界を越すことを回避するようにされているＰＣＦシステム。
【請求項３２】
請求項２８に記載のＰＣＦシステムであって、少なくとも一つのプロセッサは着信データを後入れベースで廃棄して規定されたバッファ限界を越すことを回避するようにされているＰＣＦシステム。
【請求項３３】
請求項２８に記載のＰＣＦシステムであって、少なくとも一つのプロセッサは構成可能なバッファ限界を規定されたバッファ限界として使用するようにされているＰＣＦシステム。
【請求項３４】
請求項２７に記載のＰＣＦシステムであって、少なくとも一つのプロセッサは複数の休止移動端末の各々に対してタイマおよび対応するバッファを維持するようにされているＰＣＦシステム。
【請求項３５】
請求項２７に記載のＰＣＦシステムであって、少なくとも一つのプロセッサはバッファされた着信データが廃棄される場合、発信網エンティティが廃棄されたデータの少なくとも一部を再送信するように発信網エンティティと通信するようにされているＰＣＦシステム。
【請求項３６】
請求項２７に記載のＰＣＦシステムであって、着信データはパケットデータを含み、少なくとも一つのプロセッサは着信パケットを規定されたバッファ限界までバッファリングし、パケットデータがＰＣＦシステムにおいて受信された順序でバッファされたパケットデータを前の休止移動端末へ転送するようにされているＰＣＦシステム。
【請求項３７】
請求項２７に記載のＰＣＦシステムであって、前記少なくとも一つのプロセッサは、さらに、タイマが切れる前に移動端末との接続が再確立されなければタイマをリセットするようにされているＰＣＦシステム。
【請求項３８】
請求項２７に記載のＰＣＦシステムであって、前記メモリは複数の休止移動端末の各々に対するバッファを含むＰＣＦシステム。
【請求項３９】
請求項３８に記載のＰＣＦシステムであって、前記少なくとも一つのプロセッサは休止中に着信データを受信する前記複数の休止移動端末の各々に対応する前記バッファ内に着信データをバッファリングするようにされているＰＣＦシステム。
【請求項４０】
請求項３８に記載のＰＣＦシステムであって、前記少なくとも一つのプロセッサは着信データを受信する前記複数の休止移動端末の各々の接続再確立のタイミングをとるそれぞれのタイマを維持するようにされているＰＣＦシステム。
【請求項４１】
請求項２７に記載のＰＣＦシステムであって、タイマは移動端末との接続を再確立する最大予期時間に一致する期限を有するＰＣＦシステム。
【請求項４２】
請求項２８に記載のＰＣＦシステムであって、前記少なくとも一つのプロセッサはタイマが切れる前に受信されかつ前記規定されたバッファ限界を超える任意の着信データを廃棄することにより前記メモリ内の着信データを規定されたバッファ限界までバッファリングするようにされているＰＣＦシステム。
【請求項４３】
請求項２７に記載のＰＣＦシステムであって、前記少なくとも一つのプロセッサは休止移動端末に関連する基地局コントローラ（ＢＳＣ）にサービス要求メッセージを送ることにより、着信データを受信するＰＣＦシステムに応答してＰＣＦシステムとＰＣＦシステムに関連する休止移動端末との間の接続再確立を開始するようにされているＰＣＦシステム。
【請求項４４】
請求項４３に記載のＰＣＦシステムであって、無線通信網はＴＩＡ／ＥＩＡ／ＩＳ−２０００に基づいており、少なくとも一つのプロセッサはＡ９基地局サービス要求を発生することにより前記サービス要求をＢＳＣに送るようにされているＰＣＦシステム。
【請求項４５】
請求項４３に記載のＰＣＦシステムであって、前記少なくとも一つのプロセッサは前記ＰＣＦおよびパケットデータサービングノード（ＰＤＳＮ）間のＡ１０接続確立を介して着信データを受信するようにされているＰＣＦシステム。
【請求項４６】
請求項２７に記載のＰＣＦシステムであって、前記少なくとも一つのプロセッサは休止移動端末に関連する基地局コントローラにバッファされたデータを転送することにより、バッファされた着信データを移動端末に転送するようにされているＰＣＦシステム。
【請求項４７】
請求項２７に記載のＰＣＦシステムであって、前記少なくとも一つのプロセッサは前の休止移動端末との接続が再確立された表示として、前記ＰＣＦシステムに関連する基地局コントローラから設定要求メッセージを受信するようにされているＰＣＦシステム。
【請求項４８】
請求項１８に記載の方法であって、さらに、
前記ＰＣＦシステムからのサービス要求の受信に応答して前記ＢＳＣから移動局コントローラ（ＭＳＣ）へサービス要求を送信し、
前記ＢＳＣからのサービス要求の受信に応答して前記ＭＳＣから前記ＢＳＣを介して休止移動端末をページングし、
前の休止移動端末が前記ページング要求に応答するならば前記ＢＳＣおよび前記移動端末間にトラフィックチャネルを設定する、ステップを含む方法。
【請求項４９】
請求項１に記載の方法であって、さらに、バッファされたデータが転送されたらまたはタイマが切れたらタイマをリセットするステップを含む方法。
【手続補正２】
【補正対象書類名】明細書
【補正対象項目名】００１３
【補正方法】変更
【補正の内容】
【００１３】
しかしながら、典型的なパケットデータ・セションの間歇的アクティビティにより、網１０は所与の移動端末２４のパケットデータ・セションが休止状態となる時に、その端末に関連する少なくともいくつかの網リソースの割当てを解除することにより効率を得る。“休止”が何を意味するかをより理解するために、まず所与のパケットデータ・セションに関連する典型的な状態を理解しなければならず、さらに、そのパケットデータ・セションのサポートに関わる網エンティティの基本的機能を理解しなければならない。


【手続補正３】
【補正対象書類名】明細書
【補正対象項目名】００１６
【補正方法】変更
【補正の内容】
【００１６】
インターオペラビリティ標準に従った標準化された網エンティティインターフェイスを利用するＩＳ−２０００網では、ＢＳＣ１２およびＭＳＣ１６間のＩＯＳ  ｖ４．０シグナリング標準等のＡ１接続とＢＳＣ１２およびＲＢＳ１４間のＡ８接続はアクティブ／接続状態において維持され、休止およびゼロ状態において開放される。ＰＣＦ１８およびＰＤＳＮ２２間のＡ１０接続リソースは休止状態に維持される。ＲＰ網２０を介してＰＣＦ１８およびＰＤＳＮ２２間でこの接続を維持することにより、網１０はＰＤＳＮ内のＰＰＰリンクを維持することができる。移動端末２４がゼロ状態に遷移すると、ＰＰＰリンクは中止されＡ１０接続は開放される。ＰＰＰに関するプロトコル詳細についてはＩＥＴＦ（Internet Engineering Task Force）ＲＦＣ（Request for Comments）１６６１を参照することができる。




【国際調査報告】
2005506802.tif 000035
2005506802.tif 000036
2005506802.tif 000037